(57)【要約】【課題】繰り返し送出される主情報を記録する場合に、当該主情報の先頭が再び配信されることを待つことなく記録を開始し、本来の構成順序に則って再生可能なように記録することが可能な情報記録装置及び情報出力装置を提供する。【解決手段】繰り返し送出される主情報を構成する部分情報と、前記部分情報が記録されるべき記録媒体上の位置を示すアドレス情報とを、ネットワークを介して受信して前記部分情報を情報記憶媒体に記録する情報記録装置であって、前記部分情報を受信する部分情報受信手段と、前記部分情報に対応する前記アドレス情報を受信するアドレス情報受信手段と、前記アドレス情報が示す上記記録媒体上の位置に、前記部分情報を記録する記録手段と、前記主情報を構成する全ての前記部分情報の記録が完了したことを検出する検出手段と、前記検出手段による検出に応じて、前記部分情報の記録を停止する停止制御手段と、を有することを特徴とする。【選択図】図１
2009140510.tif 000002
【特許請求の範囲】
【請求項１】
繰り返し送出される主情報を構成する部分情報と、前記部分情報が記録されるべき記録媒体上の位置を示すアドレス情報とを、ネットワークを介して受信して前記部分情報を情報記憶媒体に記録する情報記録装置であって、
前記部分情報を受信する部分情報受信手段と、
前記部分情報に対応する前記アドレス情報を受信するアドレス情報受信手段と、
前記アドレス情報が示す上記記録媒体上の位置に、前記部分情報を記録する記録手段と、
前記主情報を構成する全ての前記部分情報の記録が完了したことを検出する検出手段と、
前記検出手段による検出に応じて、前記部分情報の記録を停止する停止制御手段と、
を有することを特徴とする情報記録装置。
【請求項２】
前記検出手段は、前記主情報について最初に取得した前記部分情報と同じ内容の前記部分情報を再度取得した場合に前記主情報を構成する全ての前記部分情報の記録が完了したことを検出することを特徴とする請求項１に記載の情報記録装置。
【請求項３】
前記主情報について、最初に取得した前記部分情報に対応する前記アドレス情報を記憶する開始アドレス情報記憶手段を有し、
前記停止制御手段は、前記開始アドレス情報記憶手段に記憶されたアドレス情報と同じアドレス情報に対応する前記部分情報を再度受信した場合に、前記部分情報の記録を停止することを特徴とする請求項１又は請求項２に記載の情報記録装置。
【請求項４】
前記記録手段による前記部分情報の記録が、前記記録媒体における所定の第一位置に達したことを検出する最終記録位置検出手段と、
前記最終記録位置検出手段による検出に応じて、前記所定の第一位置に記録した前記部分情報に後続する前記部分情報の記録を、前記記録媒体における所定の第二位置から再開させることを特徴とする請求項２又は請求項３に記載の情報記録装置。
【請求項５】
前記所定の第一位置は、前記情報記録媒体における記録エリアの最外周位置であり、
前記所定の第二位置は、前記情報記録媒体における記録エリアの最内周位置であることを特徴とする請求項４に記載の情報記録装置。
【請求項６】
主情報を構成する部分情報を出力する第１出力手段と、
前記部分情報の前記主情報における構成順序及び前記部分情報が記録されるべき記録媒体上の位置を示すアドレス情報を、前記部分情報の再生時系列に沿って出力する第２出力手段と、
前記第１出力手段による出力、及び前記第２出力手段による出力を、前記主情報を１のサイクルとして複数サイクル繰り返させる制御手段と、
を備えることを特徴とする情報出力装置。
【請求項７】
主情報を構成する部分情報を出力する第１出力手段と、
前記部分情報の記録媒体における記録順序を示す順序情報を前記部分情報の再生時系列に沿って出力する第２出力手段と、
前記第１出力手段による出力、及び前記第２出力手段による出力を、前記主情報を１のサイクルとして複数サイクル繰り返させる制御手段と、
を備えることを特徴とする情報出力装置。
【請求項８】
主情報を構成する部分情報を出力する第１出力手段と、前記部分情報の記録媒体における記録順序を示す順序情報を前記部分情報の再生時系列に沿って出力する第２出力手段と、前記第１出力手段による出力、及び前記第２出力手段による出力を、前記主情報を１のサイクルとして複数サイクル繰り返させる制御手段と、を備える情報出力装置から出力される前記部分情報を記録する情報記録装置であって、
前記部分情報を、前記主情報における途中から受信可能な部分情報受信手段と、
前記部分情報に対応する前記順序情報を受信する順序情報取得手段と、
前記順序情報に対応する前記部分情報を前記順序情報に従って記録する記録手段と、
前記主情報を構成する全ての前記部分情報の記録が完了したことを検出する検出手段と、
前記検出手段による検出に応じて、前記部分情報の記録を停止する停止制御手段と、
を有することを特徴とする情報記録装置。
【発明の詳細な説明】
【技術分野】
【０００１】
本発明は、情報記録装置及び情報出力装置の技術分野に属し、より詳細には、離隔して設置されている情報記録装置及び情報出力装置との間で種々の情報の送受が可能な情報記録装置及び情報出力装置の技術分野に属する。
【背景技術】
【０００２】
近年の情報通信分野におけるネットワーク化の進展により、音楽又は映画等の情報（以下、当該情報を適宜コンテンツと称する。）をインターネット回線又はケーブルテレビジョン回線等の電気通信回線を介して配信し、光ディスク等の記録可能な記録媒体に記録することが一般化しつつある。
【０００３】
このとき、従来の上述したコンテンツの配信システムにおいては、配信側においては同一の内容を有するコンテンツを予め設定されている期間繰り返し配信し、記録側においては、上記電気通信回線を介してこれを取得し、取得した順に記録する構成とされているのが一般的である。
【発明の概要】
【発明が解決しようとする課題】
【０００４】
しかしながら、上記従来のコンテンツ配信・記録方法によると、記録側においては所望するコンテンツの先頭から当該記録を開始することが通常であるため、記録側で記録を開始しようとしたタイミングにおいて当該所望するコンテンツの途中の部分が配信中であるときは、その先頭から再度の配信が開始されるまで待機しなければならず、所望コンテンツの記録のために不要な時間を費やさなければならないという問題点があった。
【０００５】
そこで、本発明は、上記の問題点に鑑みて為されたもので、その課題は、繰り返し配信されているコンテンツを記録する場合に、当該コンテンツの先頭が再び配信されることを待つことなく記録を開始し、本来の構成順序に則って再生可能なように記録することが可能な情報記録装置及び情報出力装置を提供することにある。
【課題を解決するための手段】
【０００６】
上記の課題を解決するために、請求項１に記載の発明は、繰り返し送出される主情報を構成する部分情報と、前記部分情報が記録されるべき記録媒体上の位置を示すアドレス情報とを、ネットワークを介して受信して前記部分情報を情報記憶媒体に記録する情報記録装置であって、前記部分情報を受信する部分情報受信手段と、前記部分情報に対応する前記アドレス情報を受信するアドレス情報受信手段と、前記アドレス情報が示す上記記録媒体上の位置に、前記部分情報を記録する記録手段と、前記主情報を構成する全ての前記部分情報の記録が完了したことを検出する検出手段と、前記検出手段による検出に応じて、前記部分情報の記録を停止する停止制御手段と、を有することを特徴とする情報記録装置である。
【０００７】
よって、繰り返し送出される主情報について、主情報を構成する部分情報と、当該部分情報に対応するアドレス情報を受信して、当該アドレス情報が示す記録媒体上の位置に部分情報を記録するので、主情報の途中から取得した場合であっても、本来の構成順序に則って再生可能なように主情報を記録媒体に記録でき、主情報を構成する全ての部分情報の記録が完了したときに、部分情報の記録を停止することができる。
【０００８】
上記の課題を解決するために、請求項２に記載の発明は、前記検出手段は、前記主情報について最初に取得した前記部分情報と同じ内容の前記部分情報を再度取得した場合に前記主情報を構成する全ての前記部分情報の記録が完了したことを検出することを特徴とする請求項１に記載の情報記録装置である。
【０００９】
上記の課題を解決するために、請求項３に記載の発明は、前記主情報について、最初に取得した前記部分情報に対応する前記アドレス情報を記憶する開始アドレス情報記憶手段を有し、前記停止制御手段は、前記開始アドレス情報記憶手段に記憶されたアドレス情報と同じアドレス情報に対応する前記部分情報を再度受信した場合に、前記部分情報の記録を停止することを特徴とする請求項１又は請求項２に記載の情報記録装置である。
【００１０】
上記の課題を解決するために、請求項４に記載の発明は、前記記録手段による前記部分情報の記録が、前記記録媒体における所定の第一位置に達したことを検出する最終記録位置検出手段と、前記最終記録位置検出手段による検出に応じて、前記所定の第一位置に記録した前記部分情報に後続する前記部分情報の記録を、前記記録媒体における所定の第二位置から再開させることを特徴とする請求項２又は請求項３に記載の情報記録装置である。
【００１１】
上記の課題を解決するために、請求項５に記載の発明は、前記所定の第一位置は、前記情報記録媒体における記録エリアの最外周位置であり、前記所定の第二位置は、前記情報記録媒体における記録エリアの最内周位置であることを特徴とする請求項４に記載の情報記録装置である。
【００１２】
上記の課題を解決するために、請求項６に記載の発明は、主情報を構成する部分情報を出力する第１出力手段と、前記部分情報の前記主情報における構成順序及び前記部分情報が記録されるべき記録媒体上の位置を示すアドレス情報を、前記部分情報の再生時系列に沿って出力する第２出力手段と、前記第１出力手段による出力、及び前記第２出力手段による出力を、前記主情報を１のサイクルとして複数サイクル繰り返させる制御手段と、を備えることを特徴とする情報出力装置である。
【００１３】
上記の課題を解決するために、請求項７に記載の発明は、主情報を構成する部分情報を出力する第１出力手段と、前記部分情報の記録媒体における記録順序を示す順序情報を前記部分情報の再生時系列に沿って出力する第２出力手段と、前記第１出力手段による出力、及び前記第２出力手段による出力を、前記主情報を１のサイクルとして複数サイクル繰り返させる制御手段と、を備えることを特徴とする情報出力装置である。
【００１４】
上記の課題を解決するために、請求項８に記載の発明は、主情報を構成する部分情報を出力する第１出力手段と、前記部分情報の記録媒体における記録順序を示す順序情報を前記部分情報の再生時系列に沿って出力する第２出力手段と、前記第１出力手段による出力、及び前記第２出力手段による出力を、前記主情報を１のサイクルとして複数サイクル繰り返させる制御手段と、を備える情報出力装置から出力される前記部分情報を記録する情報記録装置であって、前記部分情報を、前記主情報における途中から受信可能な部分情報受信手段と、前記部分情報に対応する前記順序情報を受信する順序情報取得手段と、前記順序情報に対応する前記部分情報を前記順序情報に従って記録する記録手段と、前記主情報を構成する全ての前記部分情報の記録が完了したことを検出する検出手段と、前記検出手段による検出に応じて、前記部分情報の記録を停止する停止制御手段と、を有することを特徴とする情報記録装置である。
【発明の効果】
【００１５】
以上説明したように、本願によれば、繰り返し送出される主情報について、主情報を構成する部分情報と、当該部分情報に対応するアドレス情報を受信して、当該アドレス情報が示す記録媒体上の位置に部分情報を記録するので、主情報の途中から取得した場合であっても、本来の構成順序に則って再生可能なように主情報を記録媒体に記録でき、主情報を構成する全ての部分情報の記録が完了したときに、部分情報の記録を停止することができる。
【図面の簡単な説明】
【００１６】
【図１】コンテンツ配信システムの全体構成を示すブロック図である。
【図２】プレーヤの細部構成を示すブロック図である。
【図３】再生信号におけるコンテンツの態様を説明する図（Ｉ）である。
【図４】再生信号におけるコンテンツの態様を説明する図（II）である。
【図５】再生信号におけるコンテンツの態様を説明する図（III）である。
【図６】ＤＶＤ−Ｒの構造を示す断面斜視図である。
【図７】ＤＶＤ−Ｒにおける記録フォーマットを示す図である。
【図８】ＤＶＤ−Ｒにおけるブロックアドレス番号等を示す図である
【図９】レコーダの細部構成を示すブロック図である。
【図１０】第１実施形態の記録処理を示すフローチャートである。
【図１１】第１実施形態における記録態様を示す図である。
【図１２】第２実施形態における記録処理を示すフローチャートである。
【図１３】第２実施形態における記録態様を示す図である。
【図１４】第２実施形態のレコーダにおける再生処理を示すフローチャートである。
【図１５】第３実施形態の記録処理を示すフローチャートである。
【発明を実施するための形態】
【００１７】
次に、本発明に好適な実施の形態について、図面に基づいて説明する。なお、以下に説明する各実施の形態は、コンテンツが記録されているＤＶＤ（従来のＣＤ（Compact Disc）に比して数倍記録容量を高めた光ディスク）から当該コンテンツを再生し、これをインターネット回線を介して配信する出力装置と、当該配信されたコンテンツを、記録可能なＤＶＤであるＤＶＤ−Ｒ（DVD-Recordable）に対して記録する記録装置と、を含むコンテンツ配信システムに対して本発明を適用した場合の実施の形態である。
【００１８】
（Ｉ）第１実施形態
最初に、本発明に係る第１実施形態について、図１乃至図１１を用いて説明する。
【００１９】
先ず、第１実施形態に係るコンテンツ配信システムの全体構成及び全体動作について、図１を用いて説明する。なお、図１は当該全体構成を示すブロック図である。
【００２０】
図１に示すように、第１実施形態に係るコンテンツ配信システムＳは、コンテンツ（当該コンテンツの再生態様（再生順序又は再生速度等）を制御するための再生制御情報を含む）をインターネット回線ＩＮを介して出力（配信）する出力装置１０と、当該出力されたコンテンツをインターネット回線ＩＮから取得し、これをＤＶＤ−Ｒに記録する記録装置１１と、により構成されている。
【００２１】
また、出力装置１０は、コンテンツが記録されているＤＶＤから当該コンテンツを再生し、再生信号Ｓdとして出力するプレーヤ１２と、当該再生信号Ｓdに対して予め設定された変調処理等を施し、インターネット回線ＩＮに出力する配信手段としての送信装置１３と、により構成されている。
【００２２】
更に、記録装置１１は、当該出力されたコンテンツをインターネットＩＮから取得し、記録信号Ｓrとして出力する受信用の取得手段としてのセットトップボックス（SET TOP  BOX）１４と、当該出力された記録信号Ｓrを後述する方法によりＤＶＤ−Ｒに記録する記録手段としてのレコーダ１５と、により構成されている。
【００２３】
（Ａ）プレーヤの構成及び動作
次に、第１実施形態に係るプレーヤ１２の細部構成及び動作について、図２乃至図５を用いて説明する。
【００２４】
なお、図２はプレーヤ１２の細部構成を示すブロック図であり、図３乃至図５は再生信号Ｓdに含まれるコンテンツの態様を説明する図である。
【００２５】
図２に示すように、第１実施形態のプレーヤ１２は、コンテンツが記録されているＤＶＤ７２を予め設定された回転数で回転させるスピンドルモータ５０と、ドライバ５２と、位相比較器５１と、ピックアップ６０と、ＲＦ（Radio Frequency）アンプ６１と、クロック抽出部６２と、デコーダ６７と、出力手段及び変更手段としてのＣＰＵ６８と、により構成されている。
【００２６】
ここで、当該コンテンツは、いわゆるＭＰＥＧ（Moving  Picture Experts  Group）方式等の圧縮方式により、時間軸とは無関係に（すなわち、いわゆるヴァリアブルビットレートにより）圧縮されている。
【００２７】
次に、動作を説明する。
【００２８】
先ず、ピックアップ６０は、予め設定された一定強度を有する情報再生用の光ビームＢをＤＶＤ７２上の情報記録面に対して照射し、その反射光に基づいて当該ＤＶＤ７２に記録されているコンテンツに対応するＲＦ信号Ｓpを生成し、ＲＦアンプ６１へ出力する。
【００２９】
これにより、ＲＦアンプ６１は、当該ＲＦ信号Ｓpに対して波形整形処理及び増幅処理等を施し、増幅信号Ｓapを生成してクロック抽出部６２及びデコーダ６７に出力する。
【００３０】
次に、クロック抽出部６２は、当該増幅信号Ｓapからスピンドルモータ５０の回転制御を行うために用いられる同期信号Ｓclを抽出し、位相比較器５１へ出力する。
【００３１】
そして、位相比較器５１は、当該同期信号Ｓclと予め設定されている当該回転制御の基準となる基準クロックとを比較し、その位相差を示す位相差信号Ｓcpを生成してドライバ５２へ出力する。
【００３２】
次に、ドライバ５２は、位相差信号Ｓcpに基づいて、当該位相差信号Ｓcpにより示される位相差が零となるようにスピンドルモータ５０を回転させるための駆動信号Ｓsdを生成して当該スピンドルモータ５０へ出力する。
【００３３】
これにより、スピンドルモータ５０は、当該駆動信号Ｓsdに基づいて回転することで、ＤＶＤ７２を上記予め設定された回転数で回転させる。
【００３４】
一方、上記増幅信号Ｓapが入力されるデコーダ６７は、当該増幅信号Ｓapに対して予め設定された復調処理等を施し、上記ＤＶＤ７２に記録されていたコンテンツに対応する復調信号Ｓdcを生成し、ＣＰＵ６８へ出力する。
【００３５】
そして、ＣＰＵ６８は、当該復調信号Ｓdcを上記再生信号Ｓdとして送信装置１３へ出力し更にインターネットＩＮに出力することを同一のコンテンツについて繰り返すと共に、上記各構成部材の動作を統括制御し、プレーヤ１２として上記繰り返し動作を実行させる。
【００３６】
次に、上記再生信号Ｓdに含まれている再生されたコンテンツの態様について図３乃至図５を用いて説明する。
【００３７】
ＤＶＤ７２に記録されている上記コンテンツは、図３最上段に示すデータセクタ２０を複数個含む物理構造を成して構成されている。
【００３８】
そして、一のデータセクタ２０中には、その先頭から、データセクタ２０の当該コンテンツ内における再生位置（再生順序）を示すセクタアドレス番号を含むＩＤ情報２１と、当該ＩＤ情報２１の誤りを訂正するためのＩＤ情報誤り訂正コード（ＩＥＣ（ID  Data  Error correction Code ））２２と、予備データ２３と、上記コンテンツに含まれる画像又は音そのもの等であるデータ２４と、データ２４におけるエラーを検出するためのエラー検出コード（ＥＤＣ（Error Detection  Code））２５と、により構成され、このデータセクタ２０が複数連続することにより上記コンテンツが構成されている。
【００３９】
次に、ＩＤ情報２１について詳細には、図３中段に示すように、当該ＩＤ情報２１は、それが含まれるデータセクタ２０に関する諸情報であるセクタ情報４５と、上記セクタアドレス番号４６と、により構成されている。
【００４０】
更に、セクタ情報４５は、図３最下段に示すように、ＤＶＤ７２における記録フォーマットの形式（すなわち、いわゆるＣＬＶ（Constant  Line  Velocity）形式であるか否か等のフォーマット形式）を示す情報であるセクタ形式情報４７と、ＤＶＤ７２におけるトラッキングの方式（すなわち、いわゆるグルーブトラッキング方式であるか否か等の方式）を示す情報であるトラッキング方法情報４８と、ＤＶＤ７２における光ビームＢの反射率の設計値を示す情報である反射率情報４９と、何ら情報が含まれない予備エリア８０と、そのデータセクタ２０が記録されているＤＶＤ７２上の領域の区分（すなわち、そのデータセクタ２０がＤＶＤ７２上の記録エリアに記録されているものなのか、リードインエリアに記録されているものなのか等の区分）を示す情報である領域情報８１と、データセクタ２０に含まれているデータ２４の形式（すなわち、当該データ２４が画像又は音そのものであるか、或いは書換可能光ディスクにおける接続領域内の情報であるかの形式）を示す情報であるデータ形式情報８２と、データセクタ２０が記録されている情報記録面の番号（すなわち、情報記録面が二以上あるＤＶＤの場合のその情報記録面番号）を示す情報である記録面番号８３と、により構成されている。
【００４１】
次に、ＤＶＤ７２上で上記データセクタ２０を複数個用いて構成されているＥＣＣ（Error Correcting Code）ブロックの構成について、図４を用いて説明する。
【００４２】
ここで、当該ＥＣＣブロックとは、コンテンツをＤＶＤ７２から再生する際にデコーダ６７において実行されるエラー訂正処理の基本単位となるデータの集合である。
【００４３】
複数個のデータセクタ２０により構成されるＥＣＣブロックには、先ず、一のデータセクタ２０を１７２バイト毎に分割した夫々のデータ（このデータを、以下データブロック３３と称する。）を垂直方向に１２行並べて構成されるデータの集合体（図４左参照）に対して、１０バイトのＥＣＣ内符号（ＰＩ（Pality  In ）符号）３１を当該データブロック３３の最後に夫々付加して得られる訂正ブロック３４が複数個含まれている。
【００４４】
このとき、一のデータセクタ２０には１２個（１２行）の訂正ブロック３４が相当することとなるが、一のＥＣＣブロック３０内にはこの訂正ブロック３４が１６のデータセクタ２０分だけ（すなわち、１９２行の訂正ブロック３４に相当する分だけ）含まれている。
【００４５】
更に、ＥＣＣブロック３０内においては、上記１９２行の訂正ブロック３４が垂直方向に並べられた状態で、今度は、当該１９２行の訂正ブロック３４が１バイト毎に最初から垂直方向に分割され、分割された夫々のデータに対して１６個のＥＣＣ外符号（ＰＯ（Pality  Out）符号）３２が付加されている。なお、当該ＥＣＣ外符号３２は、上記訂正ブロック３４のうち、ＥＣＣ内符号３１の部分に対しても付加されている。
【００４６】
以上の構成により、１６のデータセクタ２０を含む一のＥＣＣブロック３０が図４右に示すように形成されていることとなるが、このとき、一のＥＣＣブロック３０内に含まれる情報の総量は、
［数１］
（１７２＋１０）バイト×（１９２＋１６）行＝３７８５６バイト
であり、この内、実際のデータ２４は、
［数２］
２０４８バイト×１６＝３２７６８バイト
となる。
【００４７】
また、図４に示すＥＣＣブロック３０においては、１バイトのデータを「Ｄ＃．＊」で示している。例えば、「Ｄ１．０」は第１行第０列に配置されている１バイトのデータを示しており、「Ｄ１９０．１７０」は第１９０行第１７０列に配置されている１バイトのデータを示している。従って、ＥＣＣ内符号３１は第１７２列乃至第１８１列に配置され、ＥＣＣ外符号３２は第１９２行乃至第２０７行に配置されていることとなる。
【００４８】
更に、一の訂正ブロック３４はＤＶＤ７２上では連続して記録されている。
【００４９】
ここで、図４右に示すように、ＥＣＣブロック３０をＥＣＣ内符号３１とＥＣＣ外符号３２の双方を含むように構成するのは、図４右における水平方向に並んでいるデータの訂正をＥＣＣ内符号３１で行い、図４右における垂直方向に並んでいるデータの訂正をＥＣＣ外符号３２で行うためである。すなわち、図４右で示すＥＣＣブロック３０内においては、水平方向と垂直方向の二重に誤り訂正することが可能となる。
【００５０】
この点についてより具体的には、例えば、一の訂正ブロック３４（上述のように、一行分のＥＣＣ内符号３１を含んで計１８２バイトのデータを含み、連続してＤＶＤ７２上に記録されている。）が全てＤＶＤ７２のキズ等により破壊されたとしても、それを垂直方向から見ると、１列のＥＣＣ外符号３２に対して１バイトのデータ破壊でしかない。従って、夫々の列のＥＣＣ外符号３２を用いて再生時にデコーダ６７において誤り訂正を行えば、たとえ一の訂正ブロック３４の全てが破壊されていても、正しく誤り訂正を行って正確に再生することができるのである。
【００５１】
次に、ＤＶＤ７２上における上記ＥＣＣブロック３０の実際の記録態様について図５を用いて説明する。
【００５２】
なお、図５において、「Ｄ＃．＊」で示されるデータは、図４右内に記述されている各データに対応している。
【００５３】
ＤＶＤ７２上のＥＣＣブロック３０は、図５最上段に示すように、ＥＣＣブロック３０を訂正ブロック３４毎に水平方向に一列に並べてインターリーブすることにより得られる１６のレコーディングセクタ４０に分割されて記録されている。
【００５４】
このとき、一のレコーディングセクタ４０は、２３６６バイト（３７８５６バイト÷１６）の情報を含むこととなり、この中には、データセクタ２０とＥＣＣ内符号３１又はＥＣＣ外符号３２が混在している。但し、各レコーディングセクタ４０の先頭には、データセクタ２０におけるＩＤ情報２１（図３参照）が配置される。
【００５５】
次に、一のレコーディングセクタ４０は、９１バイト毎のデータ４１に分割された上で夫々にヘッダＨが付加されており、この状態でレコーディングセクタ４０を夫々のデータ４１毎にいわゆる８−１６変調して得られる一のシンクフレーム４２としてコンテンツがＤＶＤ７２に記録されている。
【００５６】
このとき、一のシンクフレーム４２はヘッダＨ’とデータ４３とにより構成される。また、一のシンクフレーム４２内の情報量は、
［数３］
９１バイト×８×（１６／８）＝１４５６バイト
となり、このシンクフレーム４２が連続した形態でＤＶＤ７２にコンテンツが記録されている。このとき、一のレコーディングセクタ４０は、２６のシンクフレーム４２を含むこととなる。
【００５７】
以上説明した記録フォーマットを構成してＤＶＤ７２に記録されていることにより、当該コンテンツを再生する際に８−１６復調及びデインターリーブを行えば（図５参照）、もとのＥＣＣブロック３０を復元することができ、上記のように強力な誤り訂正を行ってコンテンツを正確に再生し再生信号Ｓdとして送信装置１３に出力することが可能となるのである。
【００５８】
なお、送信装置１３を介してインターネットＩＮに出力される上記再生信号Ｓdは、図５上から二段目に示すＩＤ情報２１を先頭としてレコーディングセクタ４０が並んだ状態で当該インターネットＩＮ上に出力される。
【００５９】
（Ｂ）レコーダの構成及び動作
次に、第１実施形態に係るレコーダ１５の細部構成及び動作について、図６乃至図１１を用いて説明する。
【００６０】
なお、図６乃至図８はレコーダ１５によりコンテンツが記録されるＤＶＤ−Ｒの構成を示す図であり、図９はレコーダ１５の細部構成を示すブロック図であり、図１０及び図１１はレコーダ１５における記録処理を示すフローチャート等である。
【００６１】
先ず、レコーダ１５の動作について説明する前に、上記インターネットＩＮを介して出力されてくるコンテンツが記録されるＤＶＤ−Ｒの構成及び記録態様について、図６乃至図８を用いて説明する。
【００６２】
先ず、図６を用いて第１実施形態のＤＶＤ−Ｒの構造について説明する。
【００６３】
図６において、線速度一定方式により回転されるＤＶＤ−Ｒ１は色素膜５を備えた一回のみ情報の書込みが可能な色素型ＤＶＤ−Ｒであり、コンテンツが記録されるべきトラックであるグルーブトラック２と当該グルーブトラック２に再生光又は記録光としてのレーザビーム等の光ビームＢを誘導するためのランドトラック３とが形成されている。
【００６４】
また、それらを保護するための保護膜７及び記録された情報を再生する際に光ビームＢを反射するための金蒸着面６を備えている。そして、このランドトラック３にプリ情報に対応するプリピット４が形成されている。このとき、当該プリピット４はＤＶＤ−Ｒ１を出荷する前に予め形成されているものである。
【００６５】
ここで、上記プリ情報としては、コンテンツを記録すべきＤＶＤ−Ｒ１上の位置を示すアドレス番号（以下、プリピット４を用いてＤＶＤ−Ｒ１上に記録されているアドレス番号をブロックアドレス番号と称する。）が上記プリピット４により記録されている。
【００６６】
更に、当該ＤＶＤ−Ｒ１においては、グルーブトラック２を当該ＤＶＤ−Ｒ１の回転速度に対応する周波数でウォブリングさせている。このグルーブトラック２のウォブリングによる回転制御用の同期信号の記録は、上記プリピット４と同様にＤＶＤ−Ｒ１を出荷する前に予め実行されるものである。
【００６７】
そして、ＤＶＤ−Ｒ１に上記コンテンツを記録する際には、レコーダ１５においてグル−ブトラック２のウォブリングの周波数を検出することにより上記同期信号を取得してＤＶＤ−Ｒ１を所定の回転速度で回転制御すると共に、プリピット４を検出することにより予めプリ情報を取得し、それに基づいて記録光としての光ビ−ムＢの最適出力等が設定されると共に、コンテンツを記録すべきＤＶＤ−Ｒ１上の位置であるブロックアドレス番号等が取得され、このブロックアドレス番号に基づいて当該コンテンツが上記出力されてくるＩＤ情報２１に対応する記録位置に記録される。
【００６８】
ここで、コンテンツの記録時には、光ビームＢをその中心がグルーブトラック２の中心と一致するように照射してグルーブトラック２上に記録情報に対応する記録ピットを形成することにより当該コンテンツを記録する。
【００６９】
この時、光スポットＳＰの大きさは、図６に示すように、その一部がグルーブトラック２だけでなくランドトラック３にも照射されるように設定される。そして、このランドトラック３に照射された光スポットＳＰの一部の反射光を用いてプッシュプル法（ＤＶＤ−Ｒ１の回転方向に平行な分割線により分割された光検出器を用いたラジアルプッシュプル法）によりプリピット４から上記プリ情報を検出して当該プリ情報が取得されると共に、グルーブトラック２に照射されている光スポットＳＰの一部の反射光を用いてグルーブトラック２からウォブリング信号が検出されて回転制御用の同期信号等が取得される。
【００７０】
次に、第１実施形態のＤＶＤ−Ｒ１に予め記録されているプリ情報及び回転制御情報並びに上記記録情報の記録フォーマットについて、図７を用いて説明する。
【００７１】
なお、図７において、上段は記録情報における記録フォーマットを示し、下段の波型波形は当該記録情報を記録するグルーブトラック２のウォブリング状態（すなわち、グルーブトラック２の平面図）を示し、記録情報とグルーブトラック２のウォブリング状態の間の上向き矢印は、プリピット４が形成される位置を模式的に示すものである。
【００７２】
ここで、図７においては、グルーブトラック２のウォブリング状態は、理解の容易のため実際の振幅よりも大きい振幅を用いて示してあり、記録情報は当該グルーブトラック２の中心線上に記録される。
【００７３】
図７に示すように、第１実施形態においてＤＶＤ−Ｒ１に記録される記録情報は、上述したように予めシンクフレーム４２毎に分割される。そして、２６のシンクフレームにより情報単位としての一のレコーディングセクタ４０が形成され、更に、１６のレコ−ディングセクタ４０により上記ＥＣＣブロック３０が形成される。
【００７４】
なお、一のシンクフレーム４２は、上記記録情報を記録する際の記録フォーマットにより規定されるビット間隔に対応する単位長さ（以下、Ｔという。）の１４８８倍（１４８８Ｔ）の長さを有しており、更に、一のシンクフレーム４２の先頭における１４Ｔの長さの部分にはシンクフレ−ム毎に記録時の同期を取るための同期情報ＳＹが上記ヘッダＨ’（図５最下段参照）として記録される。
【００７５】
一方、第１実施形態においてＤＶＤ−Ｒ１に記録されているプリ情報は、シンクフレーム４２毎に記録されている。ここで、プリピット４によるプリ情報の記録においては、コンテンツ内のシンクフレーム４２の夫々における同期情報ＳＹが記録される領域に隣接するランドトラック３上に、プリ情報における同期信号（以下、当該プリ情報における同期信号を、ＤＶＤ−Ｒ１の回転制御のための上記同期信号と区別すべく、シンクコードと称する。）を示すものとして必ず一のプリピット４が形成されていると共に、当該同期情報ＳＹ以外の当該シンクフレーム４２内の前半部分に隣接するランドトラック３上に、記録されているプリ情報の内容（ブロックアドレス番号）を示すものとして二又は一のプリピット４が形成される（なお、同期情報ＳＹ以外の当該シンクフレーム内の前半部分については、記録すべきプリ情報の内容によってはプリピット４が形成されない場合もある。また、一のレコーディングセクタ４０における先頭のシンクフレーム４２（後述のＥＶＥＮフレーム）では、その前半部分に必ず三つのプリピット４が連続して形成される。）。
【００７６】
ここで、第１実施形態のＤＶＤ−Ｒ１では、一のレコ−ディングセクタ４０においては、偶数番目のシンクフレーム４２（以下、ＥＶＥＮフレームという。）のみ又は奇数番目のシンクフレーム４２（以下、ＯＤＤフレームという。）のみにプリピット４が形成されてプリ情報が記録されている。すなわち、図７において、ＥＶＥＮフレームにプリピット４が形成された場合には（図７において実線上向き矢印で示す。）、それに隣接するＯＤＤフレームにはプリピット４は形成されていない。
【００７７】
更に、グルーブトラック２のウォブリングとプリピット４の位置の関係については、当該ウォブリングにおける最大振幅の位置にプリピット４が形成されている。
【００７８】
このとき、プリピット４におけるプリ情報の内容と形成される位置との関係についてより具体的に説明すると、同期情報ＳＹが記録される領域に隣接するランドトラック３上に形成されているプリピット４を「プリピットＢ２」とし、同期情報ＳＹ以外のシンクフレーム内の前半部分に隣接するランドトラック３上に形成されているプリピット４をその先頭から「プリピットＢ１」及び「プリピットＢ０」とすると、以下の表１に示すように、一レコーディングセクタの先頭のＥＶＥＮフレームにおけるシンクコードに対応する個所にはプリピットＢ２乃至Ｂ０が全て形成されており、ＯＤＤフレームにおけるシンクコードに対応する個所にはプリピットＢ２及びＢ１のみが形成されており、シンクコード以外のプリ情報としてのデータ「１」に対応する個所にはプリピットＢ２及びＢ０のみが形成されており、シンクコード以外のプリ情報としてのデータ「０」に対応する個所にはプリピットＢ２のみが形成されている。
【００７９】
【表１】
2009140510.tif 000003
【００８０】
一方、グルーブトラック２は、全てのシンクフレーム４２に渡って約１４０ｋＨｚ（一のシンクフレーム４２がグルーブトラック２の変動波形の８波分に相当する周波数）の一定ウォブリング周波数でウォブリングされている。そして、レコーダ１５において、当該一定のウォブリング周波数を検出することでＤＶＤ−Ｒ１を回転させるための後述するスピンドルモータ５０の回転制御用の上記同期信号が検出される。
【００８１】
次に、上述したプリ情報として記録されているブロックアドレス番号の内容について、ＤＶＤ−Ｒ１の全体構造と共に、図８を用いて説明する。
【００８２】
図８上段に示すように、ＤＶＤ−Ｒ１全体としては、その内周側から、コンテンツの記録の際に制御情報として用いられる情報が予め記録されている制御情報領域ＣＤと、ＤＶＤ−Ｒ１に記録済みのコンテンツの再生を開始する際に用いられる開始情報等が記録されるリードインエリアＬＩと、記録されるコンテンツに含まれる各データの階層構造等を示す情報が記録されるファイルシステム情報エリアＦＡと、実際にコンテンツそのものが記録される記録エリアＤＡと、ＤＶＤ−Ｒ１に記録済みのコンテンツの再生を終了する際に用いられる終了情報等が記録されるリードアウトエリアＬＯと、により構成されている。
【００８３】
このとき、上記リードインエリアＬＩ、ファイルシステム情報エリアＦＡ及びリードアウトエリアＬＯについては、ＤＶＤ−Ｒ１へのコンテンツの記録が完了した後に当該コンテンツの内容に応じて形成されるものである。
【００８４】
また、リードインエリアＬＩの先頭に記録されるべきコンテンツにおける上記ＩＤ情報２１内のセクタアドレス番号は図８下段に示すように「０２２ＦＡ０ｈ（「ｈ」は十六進表示であることを示す。以下同様）」とされ、更にファイルシステム情報エリアＦＡの先頭に記録されるべきコンテンツにおける上記ＩＤ情報２１内のセクタアドレス番号は図８下段に示すように「０３００００ｈ」とされることが規格化されている。
【００８５】
一方、上記プリ情報としてプリピット４により予め記録されているブロックアドレス番号は、図８縦軸に示すように、制御情報領域ＣＤの最内周部を最低値としてＤＶＤ−Ｒ１の外周に向かって昇順となるように記録されている。
【００８６】
このとき、プリ情報としてのブロックアドレス番号とコンテンツ内のセクタアドレス番号との関係については、前者が後者の１０ｈ倍である関係となるべきことが規格化されている。
【００８７】
次に、上述したＤＶＤ−Ｒ１に対して上記出力装置１０からインターネットＩＮを介して出力されてきたコンテンツを記録する記録装置１１内のレコーダ１５の細部構成及び動作について、図９乃至図１１を用いて説明する。
【００８８】
なお、第１実施形態のレコーダ１５は、ＤＶＤ−Ｒ１へのコンテンツの記録だけでなく、そのＤＶＤ−Ｒ１からの再生も可能なレコーダである。
【００８９】
また、図９に示すブロック図において、図２に示すブロック図と同様の構成部材については、同様の部材番号を付して細部の説明は省略する。
【００９０】
図９に示すように、第１実施形態のレコーダ１５は、コンテンツが記録されるＤＶＤ−Ｒ１を予め設定された回転数で回転させるスピンドルモータ５０と、ドライバ５２と、位相比較器５１と、ピックアップ６０と、ＲＦアンプ６１と、バンドパスフィルタ（Band  Pass  Filter）６９と、ウオブル検出部６３と、ＬＰＰ（Land  Pre Pit）検出部６４と、ＬＰＰデコーダ６６と、デコーダ６７と、メモリ６８ｍを含むＣＰＵ６８と、アドレス検出回路７０と、インタフェース部７１と、により構成されている。
【００９１】
先ず、ＤＶＤ−Ｒ１に既にコンテンツが記録されている場合においてこれを再生するときの動作について説明する。
【００９２】
当該再生においては、スピンドルモータ５０、ドライバ５２、位相比較器５１、ピックアップ６０、ＲＦアンプ６１、デコーダ６７及びＣＰＵ６８は、上述したプレーヤ１２と同様の動作を行って回転するＤＶＤ−Ｒ１に記録されているコンテンツに対応する復調信号Ｓdcを生成し、インタフェース７１を介して外部の図示しないアンプ等に出力信号Ｓoとして出力する。
【００９３】
このとき、位相比較器５１における基準クロックとの比較対象となる同期信号Ｓclについては、増幅信号Ｓapから上記グルーブトラック２のウォブリングの周数に対応する同期信号を含むバンドパス信号Ｓbpをバンドパスフィルタ６９により抽出し、更に当該抽出したバンドパス信号Ｓbpから上記１４０ｋHzのウォブリングに対応する周波数を有する上記同期信号Ｓclを生成する。
【００９４】
次に、セットトップボックス１４において受信されて出力される記録信号Ｓrに含まれるコンテンツをＤＶＤ−Ｒ１に記録する場合の動作について説明する。
【００９５】
先ず、レコーダ１５に入力された記録信号Ｓr（ＤＶＤ−Ｒ１に記録すべきコンテンツを含む記録信号Ｓr）は、インタフェース部７１において予め設定されたインタフェース処理が実行され、処理記録信号ＳriとしてＣＰＵ６８内のメモリ６８ｍに蓄積されると共に、アドレス検出回路７０へ出力される。
【００９６】
一方、コンテンツの記録に先立って、ピックアップ６０は、ＤＶＤ−Ｒ１上のプリピット４に対して光ビームＢを照射し、当該プリピット４に対応するＲＦ信号Ｓpを生成してＲＦアンプ６１に出力する。
【００９７】
これにより、ＲＦアンプ６１は、当該ＲＦ信号Ｓpに対して増幅処理等の処理を施し、増幅信号Ｓapを生成してバンドパスフィルタ６９へ出力する。
【００９８】
そして、バンドパスフィルタ６９は、増幅信号Ｓapから上記グルーブトラック２のウォブリングの周数に対応する同期信号及び上記プリピット４に対応するブロックアドレス番号を含むバンドパス信号Ｓbpを生成し、上記ウォブル検出部６３及びＬＰＰ検出部６４へ出力する。
【００９９】
次に、ウォブル検出部６３は、コンテンツの再生時と同様に当該バンドパス信号Ｓbpからから上記ウォブリングに対応する周波数を有する同期信号Ｓclを生成して位相比較器５１及びクロストーク除去部６５へ出力する。
【０１００】
これにより、位相比較部５１及びドライバ５２は、上述したプレーヤ１２の場合と同様の動作により、ＤＶＤ−Ｒ１を予め設定された回転数で回転させる。
【０１０１】
他方、バンドパス信号Ｓbpが入力されるＬＰＰ検出部６４は、当該バンドパス信号Ｓbpから上記ブロックアドレス番号に対応する信号成分を検出し、ＬＰＰ信号Ｓlppとしてクロストーク除去部６５及びＬＰＰデコーダ６６へ出力する。
【０１０２】
そして、クロストーク除去部６５は、ＬＰＰ信号Ｓlppに基づいて同期信号Ｓclからプリピット４の存在に起因するクロストーク成分を除去し、コンテンツの記録時における基準となる周波数を有する記録クロック信号Ｓwckを生成してエンコーダ９１へ出力する。
【０１０３】
更に、ＬＰＰデコーダ６６は、ＬＰＰ信号Ｓlppの内容を解析し、ブロックアドレス番号（すなわち、現在光ビームＢが照射されているＤＶＤ−Ｒ１上の位置を示すブロックアドレス番号）信号Ｓdlを生成してＣＰＵ６８へ出力する。
【０１０４】
次に、アドレス検出回路７０は、当該処理記録信号Ｓri内に含まれている上記レコーディングセクタ４０毎のＩＤ情報２１中のセクタアドレス番号を当該処理記録信号Ｓriから抽出し、アドレス信号ＳaddとしてＣＰＵ６８へ出力する。
【０１０５】
そして、ＣＰＵは、当該処理記録信号Ｓriをメモリ６８ｍ内に一時的に蓄積すると共に、アドレス番号信号Ｓdlの内容とアドレス信号Ｓaddの内容とを比較し、双方が予め設定された対応関係（すなわち、後者が前者の１０ｈ倍）であるタイミングでエンコーダ９１へ出力する。
【０１０６】
これにより、エンコーダ９１は、上記記録クロック信号Ｓwckを基準として処理記録信号Ｓriに対して予め設定されている変調処理等を施し変調信号Ｓeを生成してパワー制御部９２へ出力する。
【０１０７】
そして、パワー制御部９２は、ＣＰＵ６８からの制御信号Ｓcに基づいて、変調信号Ｓeに対応するように記録用の光ビームＢの強度を変調すべく、パワー制御信号Ｓpcを生成してレーザ駆動部９３へ出力する。
【０１０８】
その後、レーザ駆動部９３は、当該パワー制御信号Ｓpcにより示される強度変化をもって光ビームＢをＤＶＤ−Ｒ１上の上記グルーブトラック２に照射すべく、当該光ビームＢを射出するピックアップ６０内の図示しない半導体レーザを駆動するための駆動信号Ｓldを生成して当該ピックアップ６０へ出力する。
【０１０９】
以上の一連の動作により、レコーダ１５としてアドレス信号Ｓaddに対応するアドレス番号信号Ｓdlが取得されるＤＶＤ−Ｒ１上の記録位置に、当該アドレス信号Ｓaddに含まれているセクタアドレス番号に対応するコンテンツ（レコーディングセクタ４０）を記録することができることとなる。
【０１１０】
次に、上述したコンテンツのＤＶＤ−Ｒ１への記録処理の全体の流れについて、図１０及び図１１を用いて詳説する。なお、以下に説明する記録処理は、主としてＣＰＵ６８を中心として制御・実行される処理である。
【０１１１】
図１０に示すように、当該記録処理においては、先ず、アドレス信号Ｓaddが入力されてきたか否かを監視することにより、記録信号Ｓrの入力が開始されたことを認識し、その入力されてきたコンテンツ中の先頭のセクタアドレス番号を検出する（ステップＳ１）。
【０１１２】
次に、記録用の光ビームＢの照射位置を、上記検出したセクタアドレス番号と上記対応関係にあるブロックアドレス番号（このブロックアドレス番号を「Ｔ」とし、ＣＰＵ６８内の図示しない他のメモリ内に記憶させておく。）の位置まで移動する（ステップＳ２）。ここでは、この処理により、当該照射位置が図１１中※で示される位置に移動したとする。
【０１１３】
そして、その状態で、コンテンツにおけるＥＣＣブロック３０の先頭を検出したか否かを監視し（ステップＳ３）、検出していないときは（ステップＳ３；ＮＯ）そのままコンテンツの監視を継続し、一方、当該先頭を検出したときは（ステップＳ３；ＹＥＳ）、次に、入力されているコンテンツのメモリ６８ｍへの充填を開始する（ステップＳ４）。
【０１１４】
次に、メモリ６８ｍが満杯となったか否かを監視し（ステップＳ５）、満杯となっていないときは（ステップＳ５；ＮＯ）そのまま充填を継続し、満杯となったときは（ステップＳ５；ＹＥＳ）、当該メモリ６８ｍ内のコンテンツのＤＶＤ−Ｒ１への記録を開始する（ステップＳ６）。
【０１１５】
このステップＳ６におけるコンテンツの記録処理においては、図１１に上から三段目に示すように、ステップＳ２において検出したブロックアドレス番号Ｔの位置からＤＶＤ−Ｒ１の外周側に向かってコンテンツが記録されていくこととなる。このときの当該コンテンツの記録態様としては、上記図５最下段に示したように、シンクフレーム４２毎に記録されて行く。
【０１１６】
なお、当該記録処理においては、図１１に示すように、一のレコーディングセクタ４０が形成されて記録される度に上記同期情報ＳＹも併せて形成され記録されていくこととなる。
【０１１７】
次に、ステップＳ６における記録処理中においては、ＤＶＤ−Ｒ１上の最終（最外周）ブロックアドレス番号が検出されたか否かが監視されている（ステップＳ７）。
【０１１８】
そして、最終ブロックアドレス番号が検出されないときは（ステップＳ７；ＮＯ）、未だＤＶＤ−Ｒ１における記録エリアＤＡにおいてコンテンツの記録が継続できるとしてそのまま記録処理を継続し、一方、最終ブロックアドレス番号が検出された（すなわち、記録エリアＤＡの最外周にあるブロックアドレス番号まで対応するセクタアドレス番号を有するコンテンツが記録された）ときは（ステップＳ７；ＹＥＳ）、次に、記録を一時停止し（ステップＳ８）、更に光ビームＢの照射位置を記録エリアＤＡの最内周部まで移動し（ステップＳ９）、その移動後に中断していた記録処理を再開する（ステップＳ１０）。この処理により、図１１上から四段目に示すように、記録エリアＤＡの最内周部から引き続きコンテンツの記録が実行されることとなる。
【０１１９】
次に、記録処理が再開された後には、上記ステップＳ２において記録を開始した時に記憶したブロックアドレス番号「Ｔ」が再度検出されたか否かが監視されている（ステップＳ１１）。
【０１２０】
そして、検出されるブロックアドレス番号が上記「Ｔ」でないときは（ステップＳ１１；ＮＯ）、図１１中※印で示す記録位置までコンテンツの記録が進行していない（すなわち、ＤＶＤ−Ｒ１に対するコンテンツの全記録が完了していない）として引き続き記録処理を外周側に向かって継続し（ステップＳ１０）、一方、ブロックアドレス番号「Ｔ」が検出されたときは（ステップＳ１１；ＹＥＳ）、」ＤＶＤ−Ｒ１に対するコンテンツの全記録が完了したとして記録を終了し（ステップＳ１２）、更に、図１１最下段乃至下から三段目に示すように、リードアウトエリアＬＯに記録すべき終了情報等であるリードアウトデータＬＯＤ、リードインエリアＬＩに記録すべき開始情報等であるリードインデータＬＩＤ及びファイルシステム情報エリアＦＡに記録すべきファイル情報等であるファイルシステム情報ＦＡＤを、夫々データ又は情報に対応するＤＶＤ−Ｒ１上の領域に記録して（ステップＳ１３）全ての記録処理を完了する。
【０１２１】
このとき、ステップＳ１３におけるファイルシステム形成処理では、コンテンツの先頭としては、記録を開始したセクタアドレス番号（図１１中※の位置に対応するセクタアドレス番号）ではなく、記録エリアＤＡの最内周部に相当するセクタアドレス番号を当該先頭としてファイルシステムを形成し、更に（※に対応するセクタアドレス番号−１ｈ）に相当するセクタアドレス番号が当該※に対応するセクタアドレス番号に接続されていることを記述してファイルシステムを形成することとなる。
【０１２２】
以上説明したような記録処理が完了した後は、図１１最下段に示すように、図１１中の※位置（ブロックアドレス番号「Ｔ」に対応する）から始まるコンテンツが、記録エリアＤＡの最外周まで連続して記録された後記録エリアＤＡの最内周部から連続して記録され、当該※で示される位置で一連のコンテンツの記録が終了していることとなる。
【０１２３】
以上説明したように、第１実施形態のコンテンツ配信システムＳの動作によれば、記録すべきコンテンツ内のセクタアドレス番号が共に配信されるので、当該コンテンツをＤＶＤ−Ｒ１に記録する際に、当該配信されるコンテンツの途中から記録を開始する場合でも、本来の構成順序に則って再生可能なようにコンテンツを記録することができる。
【０１２４】
また、インターネット回線ＩＮを介してコンテンツ及びセクタアドレス番号を配信するので、出力装置１０と記録装置１１とが離隔している場合でも、迅速且つ確実にコンテンツ及びセクタアドレス番号を配信することができる。
【０１２５】
更に、ＤＶＤ７２に記録されていたコンテンツを再生してそのまま配信するので、当該コンテンツ内に再生制御情報をもセクタアドレス番号と共に記録装置１１に配信するので、記録装置１１に出力してＤＶＤ−Ｒ１に記録後、これを再生する際に当該再生制御情報に基づいて種々の再生態様で再生することができる。
【０１２６】
なお、上述した第１実施形態においては、出力装置１０と記録装置１１とを接続する回線としてインターネット回線ＩＮを用いる場合について説明したが、これ以外に、双方を、ケーブルテレビジョン回線、衛星放送回線又は地上波ディジタル回線のいずれか又は二つ以上を用いて接続してもよい。
【０１２７】
また、レコーダ１５における記録媒体としては、ＤＶＤ−Ｒ１の他に、複数回の書換えが可能なＤＶＤ−ＲＷ（DVD‐Re‐Recordable）又はＤＶＤ−ＲＡＭ（DVD‐Random  Access  Memory）を用いてもよい。更に、プレーヤ１２に装填される記録媒体としても、再生専用であるＤＶＤ７２の他に、記録済みのＤＶＤ−Ｒ、ＤＶＤ−ＲＷ又はＤＶＤ−ＲＡＭを用いることができる。
【０１２８】
（II）第２実施形態
次に、本発明に係る他の実施形態である第２実施形態について、図１２乃至図１４を用いて説明する。
【０１２９】
なお、図１２は第２実施形態のプレーヤにおける再生処理を示すフローチャートであり、図１３は第２実施形態のレコーダにおける記録処理を説明する図であり、図１４は当該レコーダにおける再生処理を示すフローチャートである。
【０１３０】
上述した第１実施形態においては、ＤＶＤ７２に記録されていたコンテンツをそのままセクタアドレス番号と共に配信し、ＤＶＤ−Ｒ１に記録する場合について説明したが、以下に説明する第２実施形態では、出力装置から記録装置までの間で不法に取得され複写されたコンテンツが不法に再生されることを防止するためのいわゆる不法複写防止処理が施された後に配信される。
【０１３１】
また、第２実施形態に係るコンテンツ配信システムにおける出力装置及び記録装置の構成は、第１実施形態に係るコンテンツ配信システムＳにおける出力装置１０及び記録装置１１と全く同様であるので、細部の説明は省略する。
【０１３２】
先ず、第２実施形態のプレーヤにおいて実行されるコンテンツの再生処理について、図１２を用いて説明する。
【０１３３】
始めに、前提として、第２実施形態に係るプレーヤにより再生されるコンテンツ内には、当該コンテンツが一度複写された後の再複写の回数を規制するための規制情報であるＣＣＩ（Copy  control Information）データが電子透かし技術等の公知の手法により含まれている。このとき、当該ＣＣＩデータの内容としては、複写を一切禁止する旨の複写禁止データ（以下、当該複写禁止データをＮＣ（Never Copy）情報と称する。）と、現状以上の複写を一切禁止する旨の再複写禁止データ（以下、当該再複写禁止データをＮＭＣ（No  More  Copy）情報と称する。）と、複写を一度だけ許可する旨の許可データ（以下、当該許可データをＣＯ（Copy  Once）情報と称する。）と、複写（回数）を自由とする旨の許可データ（以下、当該許可データをＣＦ（Copy  Free）情報と称する。）と、がある。
【０１３４】
図１２に示すように、第２実施形態のプレーヤにおける再生処理では、先ず、第１実施形態の場合と同様にして繰り返し再生処理が開始されると（ステップＳ１５）、次に、当該再生すべきコンテンツに含まれているＣＣＩデータを検出し、その内容がＮＣ情報であるか否かを判定する（ステップＳ１６）。
【０１３５】
そして、それがＮＣ情報であるときは（ステップＳ１６；ＹＥＳ）、後述するステップＳ２４においてコンテンツ内のセクタアドレス番号を一律にシフトさせるオフセット値を「１６ｈ」として（ステップＳ１７）当該ステップＳ２４へ移行する。
【０１３６】
一方、ステップＳ１６の判定において、ＣＣＩデータがＮＣ情報でないときは（ステップＳ１６；ＮＯ）、次に、当該ＣＣＩデータの内容がＮＭＣ情報であるか否かを判定する（ステップＳ１８）。
【０１３７】
そして、それがＮＭＣ情報であるときは（ステップＳ１８；ＹＥＳ）、上記オフセット値を「３２ｈ」として（ステップＳ１９）ステップＳ２４へ移行する。
【０１３８】
一方、ステップＳ１８の判定において、ＣＣＩデータがＮＭＣ情報でないときは（ステップＳ１８；ＮＯ）、次に、当該ＣＣＩデータの内容がＣＯ情報であるか否かを判定する（ステップＳ２０）。
【０１３９】
そして、それがＣＯ情報であるときは（ステップＳ２０；ＹＥＳ）、上記オフセット値を「４８ｈ」として（ステップＳ２１）ステップＳ２４へ移行する。
【０１４０】
一方、ステップＳ２０の判定において、ＣＣＩデータがＣＯ情報でないときは（ステップＳ２０；ＮＯ）、次に、当該ＣＣＩデータの内容がＣＦ情報であるか否かを判定する（ステップＳ２２）。
【０１４１】
そして、それがＣＦ情報であるときは（ステップＳ２２；ＹＥＳ）、上記オフセット値を「６４ｈ」として（ステップＳ２３）当該ステップＳ２４へ移行する。
【０１４２】
一方、ステップＳ２２の判定において、ＣＣＩデータがＣＦ情報でもないときは（ステップＳ２２；ＮＯ）、ＣＣＩデータが改竄されている可能性があるとして不法複写を防止すべく再生処理そのものを中止する。
【０１４３】
次に、各オフセット値が設定されると（ステップＳ１７、Ｓ１９、Ｓ２１、Ｓ２３）、そのオフセット値をコンテンツに含まれている各セクタアドレス番号に加算した値を新たなセクタアドレス番号とし（ステップＳ２４）、その新たなセクタアドレス番号を含むコンテンツのインターネット回線ＩＮへの出力を実行する（ステップＳ２５）。
【０１４４】
そして、全てのコンテンツの再生処理が完了したか否かが判定され（ステップＳ２６）、完了していないときは（ステップＳ２６；ＮＯ）ステップＳ２６に戻ってコンテンツの出力を継続し、一方、完了したときは（ステップＳ２６；ＹＥＳ）そのまま再生処理を終了する。
【０１４５】
次に、上述の如く第２実施形態の出力装置から出力されたコンテンツを、第１実施形態の場合と同様の記録処理（図１０参照）によりＤＶＤ−Ｒ１に記録した場合の記録態様について図１３を用いて説明する。
【０１４６】
図１２に示した再生処理により再生・出力されたコンテンツを第１実施形態のレコーダ１５と同様にしてＤＶＤ−Ｒ１に記録した場合には、コンテンツ内のセクタアドレス番号が上述したように一律にシフトされているため、結果としてその記録処理は、図１３に示す如く、長さＮＤの未記録部分Ｎを記録エリアＤＡの先頭に残した状態で、コンテンツが第１実施形態の場合と同様に記録されることとなる。
【０１４７】
この場合、未記録部分Ｎの長さＮＤは、再生処理時におけるオフセット値が「１６ｈ」であったときはセクタアドレス番号で１６個分に相当する長さとなり、再生処理時におけるオフセット値が「３２ｈ」であったときはセクタアドレス番号で３２個分に相当する長さとなり、再生処理時におけるオフセット値が「４８ｈ」であったときはセクタアドレス番号で４８個分に相当する長さとなり、再生処理時におけるオフセット値が「６４ｈ」であったときはセクタアドレス番号で６４個分に相当する長さとなる。
【０１４８】
このとき、当該未記録部分Ｎは、再生時の障害となるので、上記記録処理における最後のステップＳ１３の処理においては、実際にはその未記録部分Ｎに例えばゼロデータからなるダミーデータが記録され、当該未記録部分Ｎがダミーデータ記録部分Ｎとされる。
【０１４９】
次に、上述のようにしてＤＶＤ−Ｒ１に記録されているコンテンツを、不法複写防止処理を施しつつ第２実施形態のレコーダで再生する場合の処理を、図１４を用いて説明する。
【０１５０】
当該レコーダにおける再生処理においては、先ず、ＤＶＤ−Ｒ１に記録されているコンテンツの最先頭の位置のセクタアドレス番号を検出する（ステップＳ２５）。ここでは、当該検出されたセクタアドレス番号が「ＡＤ」であったとする（図１３最下段参照）。
【０１５１】
次に、当該検出されたセクタアドレス番号「ＡＤ」が、ＤＶＤ−Ｒ１におけるファイルシステム情報エリアＦＡの最外周部のブロックアドレス番号に対応しているかを判定する（ステップＳ２６。なお、ここでは当該最外周部のブロックアドレス番号を「Ｔ２」とする。）。
【０１５２】
そして、セクタアドレス番号「ＡＤ」とブロックアドレス番号「Ｔ２」とが本来の対応関係（すなわちセクタアドレス番号「ＡＤ」がブロックアドレス番号「Ｔ２」の１６進法で１０倍）であるときは（ステップＳ２６；ＹＥＳ）、現在第２実施形態のレコーダに装填されているＤＶＤにおいては未記録部分Ｎが存在していないこととなり、従ってこの場合は、当該ＤＶＤはそのコンテンツについていわゆるオリジナルの再生専用ＤＶＤであることとなるので、そのまま通常の再生処理に移行する（ステップＳ３６）。
【０１５３】
一方、ステップＳ２６の判定において、セクタアドレス番号「ＡＤ」とブロックアドレス番号「Ｔ２」とが本来の対応関係でないときは（ステップＳ２６；ＮＯ）、次に、セクタアドレス番号「ＡＤ」とブロックアドレス番号「Ｔ２」に「１６ｈ」を加算した値とが本来の対応関係にあるか否かが判定される（ステップＳ２７）。
【０１５４】
そして、セクタアドレス番号「ＡＤ」とブロックアドレス番号「Ｔ２」に「１６ｈ」を加算した値とが本来の対応関係にあるときは（ステップＳ２７；ＹＥＳ）、この時点でＮＣ情報に対応するコンテンツを複写していることとなり、これ自体が違法行為であるので、そのまま再生しない旨の告知を行う処理に移行し（ステップＳ２９）、その後再生処理を終了する。
【０１５５】
次に、ステップＳ２７の判定において、セクタアドレス番号「ＡＤ」とブロックアドレス番号「Ｔ２」に「１６ｈ」を加算した値とが本来の対応関係にないときは（ステップＳ２７；ＮＯ）、次に、セクタアドレス番号「ＡＤ」とブロックアドレス番号「Ｔ２」に「３２ｈ」を加算した値とが本来の対応関係にあるか否かが判定される（ステップＳ３０）。
【０１５６】
そして、セクタアドレス番号「ＡＤ」とブロックアドレス番号「Ｔ２」に「３２ｈ」を加算した値とが本来の対応関係にあるときは（ステップＳ３０；ＹＥＳ）、次に、現在検出されているコンテンツ内にあるＣＣＩデータがＮＭＣ情報であるか否かが判定される（ステップＳ３１）。
【０１５７】
これにより、ＣＣＩデータがＮＭＣ情報であるときは（ステップＳ３１：ＹＥＳ）、未記録部分Ｎの長さとＣＣＩデータの内容とが正規の関係にあるとして通常の再生処理に移行する（ステップＳ３６）。
【０１５８】
一方、ステップＳ３１の判定において、ＣＣＩデータがＮＭＣ情報でないときは（ステップＳ３１：ＮＯ）、未記録部分Ｎの長さとＣＣＩデータの内容とが正規の関係になく、現在再生しつつあるコンテンツが不法複写されたものである可能性が高いとして非再生を告知し（ステップＳ２９）再生処理を終了する。
【０１５９】
他方、ステップＳ３０の判定において、セクタアドレス番号「ＡＤ」とブロックアドレス番号「Ｔ２」に「３２ｈ」を加算した値とが本来の対応関係にないときは（ステップＳ３０；ＮＯ）、次に、セクタアドレス番号「ＡＤ」とブロックアドレス番号「Ｔ２」に「４８ｈ」を加算した値とが本来の対応関係にあるか否かが判定される（ステップＳ３２）。
【０１６０】
そして、セクタアドレス番号「ＡＤ」とブロックアドレス番号「Ｔ２」に「４８ｈ」を加算した値とが本来の対応関係にあるときは（ステップＳ３２；ＹＥＳ）、次に、上記ＣＣＩデータがＣＯ情報であるか否かが判定される（ステップＳ３３）。
【０１６１】
これにより、ＣＣＩデータがＣＯ情報であるときは（ステップＳ３３：ＹＥＳ）、未記録部分Ｎの長さとＣＣＩデータの内容とが正規の関係にあるとして通常の再生処理に移行する（ステップＳ３６）。
【０１６２】
一方、ステップＳ３１の判定において、ＣＣＩデータがＣＯ情報でないときは（ステップＳ３３：ＮＯ）、未記録部分Ｎの長さとＣＣＩデータの内容とが正規の関係になく、現在再生しつつあるコンテンツが不法複写されたものである可能性が高いとして非再生を告知し（ステップＳ２９）再生処理を終了する。
【０１６３】
他方、ステップＳ３２の判定において、セクタアドレス番号「ＡＤ」とブロックアドレス番号「Ｔ２」に「４８ｈ」を加算した値とが本来の対応関係にないときは（ステップＳ３２；ＮＯ）、次に、セクタアドレス番号「ＡＤ」とブロックアドレス番号「Ｔ２」に「６４ｈ」を加算した値とが本来の対応関係にあるか否かが判定される（ステップＳ３４）。
【０１６４】
そして、セクタアドレス番号「ＡＤ」とブロックアドレス番号「Ｔ２」に「６４ｈ」を加算した値とが本来の対応関係にあるときは（ステップＳ３４；ＹＥＳ）、次に、現在検出されているコンテンツ内にあるＣＣＩデータがＣＦ情報であるか否かが判定される（ステップＳ３５）。
【０１６５】
これにより、ＣＣＩデータがＣＦ情報であるときは（ステップＳ３５：ＹＥＳ）、未記録部分Ｎの長さとＣＣＩデータの内容とが正規の関係にあるとして通常の再生処理に移行する（ステップＳ３６）。
【０１６６】
一方、ステップＳ３５の判定において、ＣＣＩデータがＣＦ情報でないときは（ステップＳ３５：ＮＯ）、未記録部分Ｎの長さとＣＣＩデータの内容とが正規の関係になく、現在再生しつつあるコンテンツが不法複写されたものである可能性が高いとして非再生を告知し（ステップＳ２９）再生処理を終了する。
【０１６７】
他方、ステップＳ３４の判定において、セクタアドレス番号「ＡＤ」とブロックアドレス番号「Ｔ２」に「６４ｈ」を加算した値とが本来の対応関係にないときは（ステップＳ３４；ＮＯ）、現在再生しつつあるコンテンツが何らかの他の不正な処理が為されて記録されたコンテンツである可能性が高いとしてやはり非再生を告知し（ステップＳ２９）再生処理を終了する。
【０１６８】
そして、再生処理（ステップＳ３６）中においては、全てのコンテンツの再生を完了したか否かが監視され（ステップＳ３７）、完了してないときは（ステップＳ３７；ＮＯ）完了するまで再生を継続すると共に、完了しているときは（ステップＳ３７；ＹＥＳ）、そのまま再生処理を終了する。
【０１６９】
以上説明したように、第２実施形態のコンテンツ配信システムの動作によれば、第１実施形態のコンテンツ配信システムＳの動作による効果に加えて、コンテンツにはＣＣＩデータが含まれていると共に、当該ＣＣＩデータの内容に対応して各セクタアドレス番号を一律に変更し、当該変更したセクタアドレス番号をコンテンツと共に記録装置に出力すると共に、記録装置によりＤＶＤ−Ｒ１に記録されたコンテンツを再生する際には、当該ＣＣＩデータと変更されたセクタアドレス番号との組合せ状態を確認して再生を行うので、不法に複写されたコンテンツが不法に再生されることを防止することができる。
【０１７０】
なお、上述した第２実施形態においては、ＤＶＤ−Ｒ１上でスタート位置のセクタアドレス番号をオフセットさせる構成について説明したが、これ以外に、送信時にセクタアドレス番号をオフセットさせる構成とすることもできる。
【０１７１】
（III）第３実施形態
次に、本発明に係る他の実施形態である第３実施形態について、図１５を用いて説明する。
【０１７２】
なお、図１５は第３実施形態のレコーダにおける記録処理を示すフローチャートである。
【０１７３】
上述した第１実施形態においては、ＤＶＤ７２に記録されていたコンテンツをそのままセクタアドレス番号と共に配信し、ＤＶＤ−Ｒ１における対応するブロックアドレス番号の位置に記録する場合について説明したが、以下に説明する第３実施形態では、配信されるセクタアドレス番号の内容に無関係にＤＶＤ−Ｒ１における記録エリアＤＡの先頭からコンテンツの記録を開始する。
【０１７４】
また、第３実施形態に係るコンテンツ配信システムにおける出力装置及び記録装置の構成は、レコーダにおけるに記録処理を除いて第１実施形態に係るコンテンツ配信システムＳにおける出力装置１０及び記録装置１１と同様であるので、細部の説明は省略する。
【０１７５】
次に、第３実施形態のレコーダにおいて実行されるコンテンツ記録処理について、図１５を用いて説明する。
【０１７６】
第３実施形態の記録処理においては、先ず、出力装置１０からコンテンツの配信が開始されたか否かを判定し（ステップＳ４０）、配信されていないときは（ステップＳ４０；ＮＯ）そのまま配信があるまで待機し、一方、配信が開始されたときは（ステップＳ４０；ＹＥＳ）、次に、当該配信における先頭セクタアドレス番号をＣＰＵ６８内の図示しないメモリ内に記憶しておく（ステップＳ４１）と共に、メモリ６８ｍ内に配信されたコンテンツを蓄積していく。
【０１７７】
そして、予め設定されている蓄積量の蓄積が完了すると、次に、当該蓄積されているコンテンツ内のセクタアドレス番号を、記録エリアＤＡの先頭に対応するセクタアドレス番号（具体的には、「３００００ｈ」）を起算点として昇順となるように変換する（ステップＳ４２）。
【０１７８】
次に、当該蓄積されているコンテンツ内に、当該コンテンツの再生態様を制御するための再生制御情報（より具体的には、例えば、ＤＶＤ規格におけるいわゆるＰＧＣＩ（Program Chain  Information）等）が含まれているか否かを判定する（ステップＳ４３）。
【０１７９】
そして、再生制御情報が含まれているときは（ステップＳ４３；ＹＥＳ）、その再生制御情報に含まれているセクタアドレス番号を上記ステップＳ４２において変更後のセクタアドレス番号に対応付けるように変換し（ステップＳ４４）、ステップＳ４５へ移行する。
【０１８０】
一方、ステップＳ４３において、コンテンツ内に再生制御情報が含まれていないときは（ステップＳ４３；ＮＯ）そのままステップＳ４５へ移行する。
【０１８１】
そして、ステップＳ４５においては、配信され（ステップＳ４０；ＹＥＳ）、セクタアドレス番号を変換された（ステップＳ４２、Ｓ４４）コンテンツをＤＶＤ−Ｒ１における記録エリアＤＡの先頭から順に記録する（ステップＳ４５）。
【０１８２】
そして、当該記録中においてステップＳ４１において記憶したセクタアドレス番号に対応するコンテンツが再度配信されたか否かを監視し（ステップＳ４６）、再配信されていないときは（ステップＳ４６；ＮＯ）、上述した動作を継続配信されてくるコンテンツに対して繰り返すべくステップＳ４２に戻り、一方、同じ記録済みの内容を含むコンテンツが再度配信されてきたときは（ステップＳ４６；ＹＥＳ）、一連のコンテンツの記録が完了しているとして記録を終了し（ステップＳ４７）、更に第１実施形態の図１０ステップＳ１３と同様にしてリードアウトデータＬＯＤ、リードインデータＬＩＤ及びファイルシステム情報ＦＡＤを、夫々データ又は情報に対応するＤＶＤ−Ｒ１上の領域に記録し（ステップＳ４８）全ての記録処理を完了する。
【０１８３】
以上説明したように、第３実施形態のレコーダの処理によれば、繰り返し配信されてくるセクタアドレス番号に基づいて再生制御情報の内容を変換しつつコンテンツを記録するので、ＤＶＤ−Ｒ１の先頭から本来の再生態様により再生可能なようにコンテンツを記録することができる。
【０１８４】
なお、上述した記録処理又は再生処理に対応するプログラムをフレキシブルディスク又はハードディスク等の情報記録媒体に記録し、これをパーソナルコンピュータ等により実行することで、当該パーソナルコンピュータを各実施形態におけるレコーダ及びプレーヤとして機能させることも可能である。
【０１８５】
また、上述の各実施形態においては、出力装置１０から記録装置１１にインターネットＩＮを介して出力される再生信号Ｓdについては、図５上から二段目に示すＩＤ情報２１を先頭としてレコーディングセクタ４０が並んだ状態となっている場合について説明したが、これ以外に、当該図５下から二段目又は最下段の形態で再生信号Ｓdを形成し（すなわち、ＲＦ信号に相当する態様で再生信号Ｓdを形成し）、これをインターネットＩＮに出力するように構成することもできる。
【０１８６】
更に、出力装置１０から記録装置１１へ出力する際の伝送速度については、２倍速以上の高速で伝送するように構成することも可能である。
【符号の説明】
【０１８７】
１…ＤＶＤ−Ｒ
２…グルーブトラック
３…ランドトラック
４…プリピット
５…色素膜
６…金蒸着膜
７…保護膜
１０…出力装置
１１…記録装置
１２…プレーヤ
１３…送信装置
１４…セットトップボックス
１５…レコーダ
２０…データセクタ
２１…ＩＤ情報
２２…ＩＤ情報誤り訂正コード
２３…予備データ
２４、４１、４３…データ
２５…エラー検出コード
３０…ＥＣＣブロック
３１…ＥＣＣ内符号
３２…ＥＣＣ外符号
３３…データブロック
３４…訂正ブロック
４０…レコーディングセクタ
４２…シンクフレーム
４５…セクタ情報
４６…セクタアドレス番号
４７…セクタ形式情報
４８…トラッキング方法情報
４９…反射率情報
５０…スピンドルモータ
５１…位相比較部
５２…ドライバ
６０…ピックアップ
６１…ＲＦアンプ
６２…クロック抽出部
６３…ウォブル検出部
６４…ＬＰＰ検出部
６５…クロストーク除去部
６６…ＬＰＰデコーダ
６７…デコーダ
６８…ＣＰＵ
６８ｍ…メモリ
６９…バンドパスフィルタ
７０…アドレス検出回路
７１…インタフェース
７２…ＤＶＤ
８０…予備エリア
８１…領域情報
８２…データ形式情報
８３…記録面番号
Ｓ…コンテンツ配信システム
Ｂ…光ビーム
Ｈ、Ｈ’…ヘッダ
Ｎ…未記録部分（ダミーデータ記録部分）
ＩＮ…インターネット回線
ＳＹ…同期情報
ＣＤ…制御情報領域
ＬＩ…リードインエリア
ＦＡ…ファイルシステム情報エリア
ＤＡ…記録エリア
ＬＯ…リードアウトエリア
Ｓd…再生信号
Ｓr…記録信号
Ｓp…ＲＦ信号
Ｓap…増幅信号
Ｓdc…復調信号
Ｓcl…同期信号
Ｓcp…位相差信号
Ｓsd、Ｓld…駆動信号
Ｓo…出力信号
Ｓbp…バンドパス信号
Ｓri…処理記録信号
Ｓlpp…ＬＰＰ信号
Ｓwck…記録クロック信号
Ｓdl…アドレス番号信号
Ｓadd…アドレス信号
Ｓe…変調信号
Ｓc…制御信号
Ｓpc…パワー制御信号
【図１】
2009140510.tif 000004
【図２】
2009140510.tif 000005
【図３】
2009140510.tif 000006
【図４】
2009140510.tif 000007
【図５】
2009140510.tif 000008
【図６】
2009140510.tif 000009
【図７】
2009140510.tif 000010
【図８】
2009140510.tif 000011
【図９】
2009140510.tif 000012
【図１０】
2009140510.tif 000013
【図１１】
2009140510.tif 000014
【図１２】
2009140510.tif 000015
【図１３】
2009140510.tif 000016
【図１４】
2009140510.tif 000017
【図１５】
2009140510.tif 000018